(57)【特許請求の範囲】
【請求項１】
中空円筒形状のコアに巻かれた長尺シートの巻取りを、該コアの中空部に軸を通して、固定し、積載、搬送する巻取り用架台において、少なくとも台座部、軸固定部、軸及び密閉容器から構成し、巻取りを軸と軸固定部により宙吊りにでき、前記密閉容器は、軸部密閉用パッキンまたは密閉用バンドを用いて、前記軸の外周面に密閉可能且つ着脱可能に取り付けられるよう構成されており、宙吊り状態で巻き取りの周辺を密閉容器で密閉することを特徴とする巻取り用架台。
【発明の詳細な説明】
【０００１】
【発明の属する技術分野】
本発明は、中空円筒形状のコアに巻かれた長尺シートの巻取りを積載、保管、搬送するための架台に関するものである。
【０００２】
【従来の技術】
従来、架台（パレット）に積載した製品を密閉して、保管する方法として、特開平７−２３２７３３号公報に挙げられているような、平パレットの四辺に溝を設け、その溝に側板を通して立て、また蓋を被せて、箱として組み立てる方法がある。そして、密閉性を高めるために、溝にパッキンを入れることが記載されている。
また、実公平８−２６０号公報には、架台（パレット）に積載した製品を密閉して、保管する方法として、パレットに箱状枠体と底板、合板を組み合わせ、天井面と両側面を密閉させる密閉シートを取り付けたコンテナが記載されている。
あるいは、製品を架台に積載せずに、製品一つ、一つを真空包装し、真空包装された製品を必要に応じて、外箱に納めて、搬送していた。
【０００３】
【発明が解決しようとする課題】
上記の架台全体を覆って、製品を密閉、保管する場合は、まず作業負荷が高く、架台が大きいほど架台全体を覆う密閉用部品は大きく、その密閉させる作業は困難なものである。
また、上記の密閉用部品の取扱も作業負荷となる。特に、架台に製品を積載していない状態では、省スペースを考慮し、密閉用部品をある程度折り畳むとしても、密閉用部品を含めた架台の収納スペースが大きく、問題である。
密閉対象とする製品を一つ一つ真空包装する方法では、当然真空包装の作業負荷がかかり、包装材のリサイクルを考慮しなければ、廃棄物が多量に発生するという問題点がある。
【０００４】
したがって、本発明は、上記の課題を解決すべく、製品を架台に積載した状態で、その製品を密閉する機能を付加し、かつ架台及びその周辺部材を収納するスペースが小さく、密閉対象とする製品を密閉するための作業負荷が低く、簡単に密閉でき、また密閉するための包装材料の廃棄物の極小化を実現させることが可能である巻取り用架台を提供することを目的とする。
【０００５】
【課題を解決するための手段】
上記目的を達成するために、本発明は、中空円筒形状のコアに巻かれた長尺シートの巻取りを、該コアの中空部に軸を通して、固定し、積載、搬送する巻取り用架台において、少なくとも台座部、軸固定部、軸及び密閉容器から構成し、巻取りを軸と軸固定部により宙吊りにでき、前記密閉容器は、軸部密閉用パッキンまたは密閉用バンドを用いて、前記軸の外周面に密閉可能且つ着脱可能に取り付けられるよう構成されており、宙吊り状態で巻き取りの周辺を密閉容器で密閉するものである。したがって、本発明の巻取り用架台は、巻取り製品を架台に積載した状態で、その巻取りを密閉容器により簡単に密閉することができ、また密閉するための包装材料を廃棄せずに、リサイクルで使用できる。また、軸の端には何も取り付けられていない構成にすることで、架台（軸）からの巻取りの出し入れが非常に簡単にできる。
【０００６】
【実施例】
次に、本発明の実施例を図面に基いて、説明する。
図１は、本発明の巻取り用架台の第１実施例を示す概略図であり、本発明の基本的形状を有する巻取り用架台１である。長尺シートを中空円筒形状のコアに巻き上げた巻取り６で、該コアの中空部に通して、支えるための軸４と、その軸４を固定させる軸固定部３が設けられ、また架台の土台となる台座部２を有し、巻取り６を軸４と軸固定部３により宙吊りにして、宙吊り状態の巻取り６の回りに密閉容器Ａ（９）と密閉容器Ｂ（１０）を組み合わせて、巻取り６を密閉している。軸４が挿入された巻取り６の軸４との固定を強固にするために、スペーサー１１を取付けている。
【０００７】
図示したものは軸固定部３に対して、架台１の片側のみに巻取り６を積載しているが、それに限定されず、軸固定部３の両側に巻取りを積載することができることは当然である。
尚、台座部２の四隅に足１２を設けて、巻取りを架台に積載しても、架台が不安定にならないように安定させたり、台座部２の回り四方のいずれの方向からでも、フォークリフト、ハンドフォーク（ジャッキー）等の運搬機の爪（運搬する物品を載せる部分）を挿入でき、架台の安定性、搬送性が良好となる。
【０００８】
また、図２は本発明の巻取り用架台に積載される対象となる巻取り６の一例を示す概略図であり、長尺シート７をコア５に巻き上げたものであり、該コア５は巻取り用架台に設置される軸を通すために、中空部８を有している。尚、図２では、巻取りの正面図とその側面図を示した。
【０００９】
図３は、本発明の巻取り用架台の密閉容器を除いて、巻取りを積載していない状態の例を示す概略図であり、軸固定部３を台座部２の中央に設け、軸固定部３と台座部２とが溶接やネジ止め等の固定手段で強固に固定される。その軸固定部３は、軸４の長手方向の中央位置にある。軸４と軸固定部３とは、軸が軸固定部との着脱が自在に可能なものでも、あるいは軸と軸固定部とが強固に固定され、両者を分離できないような構造にしても良い。図３のような台座部、軸固定部、及び軸の配置に限定されず、軸固定部を台座部の端に設け、軸の一端を軸固定部で固定させたり、それらの配置は任意に変更できる。但し、巻取りを積載した架台が、バランスを失ったり、不安定な状態にならないように、適宜ストッパーや重しを設置したりすることが必要である。また、一つに台座部に軸固定部を複数設けて、その軸固定部に固定される軸を並列にしたり、あるいは一つの軸固定部に軸を複数本、並列で取り付けられるようにしたりすることができる。
本発明の巻取り用架台において、軸固定部を上記のように台座部と溶接やネジ止め等の固定手段で固定することに限定されず、例えば軸固定部を台座部に対して折り畳める構成にすることも可能であり、架台数が多い場合でも、狭い空間で空き架台の収納ができるようになる。
【００１０】
図４は、本発明の巻取り用架台の密閉容器で巻取りを密閉する機構の例を示した説明図である。まず、予め軸４に密閉容器Ａ（９）を通して、設置しておく。密閉容器Ａ（９）は、その中央部が軸４の外径サイズよりも若干大きく、円形にくり抜かれており、そのくり抜かれた穴に軸４を通すことを可能にしておく。
密閉容器Ａ（９）のくり抜かれた穴に軸４を通した後に、必要に応じてインナースペーサー１１ａを軸４に通して取り付け、所定数の巻取り６を軸４に挿入する。（巻取り６の巻芯となっている中空円筒形状のコア５の中空部に、軸４を通す。）巻取り６同士の接触を避けるために、巻取りと巻取りの間にスペーサーや緩衝材をはさむことができる。
【００１１】
所定数の巻取り６を軸４に通した後に、必要に応じてアウタースペーサー１１ｂを軸４に通し、最後にエンドストッパー１４を固定ネジ１５にて軸４に装着する。エンドストッパー１４はアウタースペーサー１１ｂ、もしくは巻取り６のコア５の外形の大きさよりも大きくしており（同等の大きさでも可能である）、固定ネジ１５の締め付けにより密閉容器Ａ（９）、スペーサー１１ａ、１１ｂ、巻取り６が全て固定される。
【００１２】
密閉容器Ａ（９）と軸４間の密閉は、外部固定具１３と密閉容器Ａ（９）が軸部密閉用パッキン１８を挟むことにより実現される。
このように固定された巻取り６に被せるように、密閉容器Ｂ（１０）を密閉容器Ａ（９）と組み合わせて取り付ける。その取り付け固定は、容器密閉用パッキン１６を密閉容器Ａ（９）と密閉容器Ｂ（１０）の間に取り付け、密閉容器Ａ（９）、容器密閉用パッキン１６、密閉容器Ｂ（１０）を一体にして、密閉固定部１７で挟み込み、固定する。その固定を強固にするために、例えば、密閉固定部１７の内側寸法Ｄに対して、その密閉固定部１７に挟まれる密閉容器Ａ（９）、容器密閉用パッキン１６、密閉容器Ｂ（１０）の３つを合わせた厚さの寸法がＤよりも若干大きくしておき、その３つを合わせて加圧すれば、厚さが少し減少し、元にもどろうとする反発力が働くように、容器密閉用パッキン１６をゴム状の材質を用いることが好ましい。これにより、密閉容器Ａ（９）、容器密閉用パッキン１６、密閉容器Ｂ（１０）を一体として、密閉固定部１７の内側に、加圧して取り付け、それら３つの部材が密閉固定部１７で強固に固定される。
以上のように、密閉容器Ａ（９）と密閉容器Ｂ（１０）の装着が終了し、軸４に取付けられた巻取り６は完全に密閉される。
【００１３】
図５は、本発明の巻取り用架台の第２実施例を示す概略図であり、中空円筒形状のコア５に巻かれた長尺シートの巻取り６を、そのコア５の中空部に軸４を通して、固定し、積載、搬送する巻取り用架台１であり、その架台１は台座部２、軸固定部３、軸４及びフレキシブルな密閉袋１９から構成し、所定数の巻取り６を軸４と軸固定部３により宙吊りにして、宙吊り状態で巻取り６の周辺を密閉袋１９で密閉している。この場合は、密閉容器として、密閉袋１９を使用し、軸４により宙吊りになった巻取り６全体を包むように、密閉袋１９の中に巻取り６を入れて、その密閉袋１９の挿入口を軸４と密閉用バンド２０で挟み込んで、固定する。この場合の密閉袋１９の材質は、ポリプロピレン、熱可塑性ポリエステル、ナイロン、ポリ塩化ビニル等の各種プラスチックフィルムが挙げられる。また、これらのプラスチックフィルムに例えばポリ塩化ビニリデン等のバリヤー性樹脂の塗工層を形成した複合フィルム等も利用できる。密閉袋の場合、その袋の材料の種類、厚さ等を選択して、使い捨てタイプにしたり、リサイクル可能なように取扱いで破れることがないようにすることができる。
【００１４】
本発明の巻取り用架台を構成する、台座部、軸固定部、軸、密閉容器等の部材は、繰り返しの使用をするために、耐久性のあるステンレス、鉄、アルミ等の金属で製造することが好ましく、またポリエステル樹脂やポリエチレン樹脂等に強化繊維を含ませたＦＲＰ（繊維強化プラスチック）や、ポリエステル樹脂等に骨材ないし充填剤として硅砂等を含ませたレジンコンクリート等の材料を使用することもできる。
【００１５】
これらの巻取り用架台の構成部材の製造方法としては、上記の金属材料の場合は、パイプ状、角材等を溶接、接合して、必要とする形状にしたり、金属を溶融し、鋳型に注入して成形する方法、つまり鋳造加工したり、従来から用いられている金属材料の成型加工方法を用いることができる。
また、巻取り用架台の各部材の製造方法として、ＦＲＰやレジンコンクリート材料を用いる場合は、樹脂材料を溶融して、金型による成型方法等の従来から用いられている各種のプラスチック成型方法を用いることができる。
【００１６】
成型用樹脂として、ポリスチレン樹脂、ポリ塩化ビニル樹脂、アクリロニトリル−ブタジエン−スチレン共重合体樹脂（ＡＢＳ樹脂）、アクリロニトリル−スチレン共重合体樹脂（ＡＳ樹脂）、メタクリル樹脂、ポリカーボネート樹脂、ポリスルホン樹脂、ポリエーテルスルホン樹脂、ポリアリレート樹脂、ポリエーテルイミド樹脂、ポリアミドイミド樹脂、ポリエステル系樹脂（例えば、ポリエチレンテレフタレート樹脂やポリブチレンテレフタレート）、変性ポリフェニレンオキシド樹脂（例えば、変性ポリフェニレンエーテル樹脂）、ポリイミド樹脂、ポリフェニレンサルファイド樹脂、ポリエーテルケトン樹脂、ポリエーテルエーテルケトン樹脂、ポリエチレン樹脂らポリプロピレン樹脂といったポリオレフィン系樹脂、ポリアセタール樹脂、ポリエステルカーボネート樹脂、液晶ポリマー、エラストマー等の熱可塑性樹脂、あるいはまた、これらの混合物やこれらの樹脂の２種類以上からなるアロイ樹脂組成物等が用いることができる。
以上の本発明の巻取り用架台は、上述の実施例に限定されるものではなく、本発明を逸脱しない範囲で、種々のものから構成することができる。
【００１７】
【発明の効果】
以上のように、本発明は、中空円筒形状のコアに巻かれた長尺シートの巻取りを、該コアの中空部に軸を通して、固定し、積載、搬送する巻取り用架台において、少なくとも台座部、軸固定部、軸及び密閉容器から構成し、巻取りを軸と軸固定部により宙吊りにでき、宙吊り状態で巻き取りの周辺を密閉容器で密閉するものである。したがって、本発明の巻取り用架台は、巻取り製品を架台に積載した状態で、その巻取りを密閉容器により簡単に密閉することができ、また密閉するための包装材料を廃棄せずに、リサイクルで使用できる。また、軸の端には何も取り付けられていないため、架台（軸）からの巻取りの出し入れが非常に簡単にできる。
【図面の簡単な説明】
【図１】本発明の巻取り用架台の第１実施例を示す概略図である。
【図２】本発明の巻取り用架台に積載される対象となる巻取りの一例を示す概略図である。
【図３】本発明の巻取り用架台の密閉容器を除いて、巻取りを積載していない状態の例を示す概略図である。
【図４】本発明の巻取り用架台の密閉容器で巻取りを密閉する機構の例を示した説明図である。
【図５】本発明の巻取り用架台の第２実施例を示す概略図である。
【符号の説明】
１        巻取り用架台
２        台座部
３        軸固定部
４        軸
５        コア
６        巻取り
７        長尺シート
８        中空部（コア）
９        密閉容器Ａ
１０        密閉容器Ｂ
１１        スペーサー
１１ａ      インナースペーサー
１１ｂ      アウタースペーサー
１２        足
１３        外部固定具
１４        エンドストッパー
１５        固定ネジ
１６        容器密閉用パッキン
１７        密閉固定具
１８        軸部密閉用パッキン
１９        密閉用袋
２０        密閉用バンド
【図１】
0004006571.tif 000002
【図２】
0004006571.tif 000003
【図３】
0004006571.tif 000004
【図４】
0004006571.tif 000005
【図５】
0004006571.tif 000006